(57)【要約】【課題】ケーシングを用いることなしに、クロマトグラフィー定量測定装置に免疫クロマトグラフィー試験片を精度良く取り付け可能で、かつ、測定器への試料の付着を防止可能な測定装置を提供するものである。【解決方法】免疫クロマトグラフィー試験片７を保持する固定台１７と、固定台１７を保持する測定台１８とを備え、測定台１８を可動可能な構成とした。【選択図】図１
2011191317.tif 000002
【特許請求の範囲】
【請求項１】
被検査溶液を免疫クロマトグラフィー試験片に添加し、上記被検査溶液の展開が終了すると、上記免疫クロマトグラフィー試験片の検知部にビームを照射して光学的な信号の検出を行い、該検出した信号から試料濃度を定量的に読み取って定量測定を行うクロマトグラフィー定量測定装置において、
上記免疫クロマトグラフィー試験片を保持する固定台と、上記固定台を保持する測定台と、を備え、
上記免疫クロマトグラフィー試験片は、検査溶液を展開するための展開層と、上記展開層を保持するための支持体とからなり、上記固定台に、上記免疫クロマトグラフィー試験片を挿入可能な挿入口を設けた、
ことを特徴とするクロマトグラフィー定量測定装置。
【請求項２】
請求項１に記載のクロマトグラフィー定量測定装置において、
上記挿入口に傾斜を設けた、
ことを特徴とするクロマトグラフィー定量測定装置。
【請求項３】
請求項１に記載のクロマトグラフィー定量測定装置において、
上記免疫クロマトグラフィー試験片に、上記固定台への挿入側端部に切り欠きを設け、
上記固定台に、上記切り欠きと同形状の突起を設けた、
ことを特徴とするクロマトグラフィー定量測定装置。
【請求項４】
請求項３に記載のクロマトグラフィー定量測定装置において、
上記切り欠きは、上記免疫クロマトグラフィー試験片の長辺方向の中心線に対して非対称となる形状である、
ことを特徴とするクロマトグラフィー定量測定装置。
【請求項５】
請求項１に記載のクロマトグラフィー定量測定装置において、
上記支持体に、上記免疫クロマトグラフィー試験片の上記固定台への挿入側端部に溝を設け、
上記固定台に、上記溝に挿入可能な突起を設けた、
ことを特徴とするクロマトグラフィー定量測定装置。
【請求項６】
請求項５に記載のクロマトグラフィー定量測定装置において、
上記突起が上記溝に挿入されたことを検知する手段を備えた、
ことを特徴とするクロマトグラフィー定量測定装置。
【請求項７】
請求項１に記載のクロマトグラフィー定量測定装置において、
上記免疫クロマトグラフィー試験片の形状は、上記固定台への挿入側の幅を狭めた段付き形状である、
ことを特徴とするクロマトグラフィー定量測定装置。
【請求項８】
請求項１に記載のクロマトグラフィー定量測定装置において、
上記固定台に、上記免疫クロマトグラフィー試験片を押さえる弾性部材を設けた、
ことを特徴とするクロマトグラフィー定量測定装置。
【請求項９】
請求項８に記載のクロマトグラフィー定量測定装置において、
上記弾性部材と上記固定台を一体とした、
ことを特徴とするクロマトグラフィー定量測定装置。
【請求項１０】
請求項８に記載のクロマトグラフィー定量測定装置において、
上記弾性部材の端部に傾斜を設けた、
ことを特徴とするクロマトグラフィー定量測定装置。
【請求項１１】
請求項８に記載のクロマトグラフィー定量測定装置において、
上記弾性部材による押さえを解除する機構を備えた、
ことを特徴とするクロマトグラフィー定量測定装置。
【発明の詳細な説明】
【技術分野】
【０００１】
本発明は、免疫クロマトグラフィー試験片等を測定するクロマトグラフィー定量測定装置に関し、特に装置の定量測定精度を向上させることができるものに関するものである。
【背景技術】
【０００２】
以下に、従来の試料濃度測定装置である吸光光度計について図９を用いて説明する。図９は従来の反射吸光光度計の概略構成図である。図９において、１は光源、２は反射板、３は回折格子、４は開口部、５はガラス板、６は光電子倍増管、７は免疫クロマトグラフィー試験片、８は光電子倍増管、１１は検知部である。
【０００３】
抗原抗体反応を用いた免疫クロマトグラフィー試験片７は、液体試料を添加する部分である添加部９と、液体試料の浸透により移動し、流れてきた液体試料中に含まれる分析対象物に対して特異的に結合する標識試薬が保持された標識試薬保持部１０と、標識試薬と分析対象物との結合物質の固定化を行う検知部１１と、流れてきた液体試料を吸収する部分と、他のベース部１２とからなる。
【０００４】
以上のように構成される従来の反射吸光光度計の動作について説明する。
光源１から出射されたビームは、反射板２を介して回折格子３に入射される。ここで、回折格子３により波長が決定され、回折格子３より出射されたビームは、開口部４により絞られ、ガラス板５に入射される。ガラス板５に入射したビームは、ガラス板５を反射するものと透過するものに分けられる。ガラス板５を反射したビームは、参照光として光電子倍増管６で受光される。一方、ガラス板５を透過したビームは、免疫クロマトグラフィー試験片７に入射される。免疫クロマトグラフィー試験片７からの散乱光は、光電子倍増管８で受光される。光電子倍増管６、８からの出力はそれぞれLog変換され、これらの引き算結果が吸光度信号として出力される。なお、クロマトグラフィー試験片７のベース部１２と検知部１１の吸光度信号の差と、測定する試料濃度との検量線が予め算出されており、ベース部１２と検知部１１の吸光度信号の差を検出することにより、試料濃度の算出が行われる。
【０００５】
また、一般的に定性、半定性の免疫クロマトグラフィー試験片は、中空のケーシングに封入されており、検査終了後はケーシングごと廃棄する方法が取られている。例えば、特許文献１及び特許文献２には、図９（ｂ）に示すように、ケーシング９０に免疫クロマトグラフィー試験片に液体試料を添加する部分である注入部９１と、呈色部分を観察ための開口９２を設け、検査結果として変色度合を目視により判断する方法が開示されている。
【先行技術文献】
【特許文献】
【０００６】
【特許文献１】特表平１−５０３１７４号公報
【特許文献２】特開平６−１８０３２０号公報
【発明の概要】
【発明が解決しようとする課題】
【０００７】
しかしながら、上記従来の汎用吸光光度計を用いた免疫クロマトグラフィーの定量分析では、測定の頻度が少ない場合にはケーシングを用いる方法に問題はないが、臨床検査などで定量測定を大量に行う場合、ケーシングのコストと保管場所の確保が問題となる。
【０００８】
また、ケーシングなしに免疫クロマトグラフィー試験片単体を用いて定量測定を行う場合には、吸光光度計の測定テーブル上に直接試験片を置くことになるため、測定装置に試料が付着することが問題となる。
【０００９】
また、ビームが正確にベース部及び検知部に照射されるよう試験片を測定装置に精度良く取り付けなければならないという問題があった。
【００１０】
本発明は、上記問題点を解消するためになされたものであり、定量測定精度を向上させることができるクロマトグラフィー定量測定装置を提供することを目的とする。
【課題を解決するための手段】
【００１１】
上記課題を解決するために、本発明のクロマトグラフィー定量測定装置では、被検査溶液を免疫クロマトグラフィー試験片に添加し、上記被検査溶液の展開が終了すると、上記免疫クロマトグラフィー試験片の検知部にビームを照射して光学的な信号の検出を行い、該検出した信号から試料濃度を定量的に読み取って定量測定を行うクロマトグラフィー定量測定装置において、上記免疫クロマトグラフィー試験片を保持する固定台と、上記固定台を保持する測定台と、を備え、上記免疫クロマトグラフィー試験片は、検査溶液を展開するための展開層と、上記展開層を保持するための支持体とからなる、ことを特徴とするものである。
これにより、免疫クロマトグラフィー試験片を精度良くクロマトグラフィー定量測定装置に取り付けることが可能となり、かつ、ケーシングにかかるコスト及び保管場所を少なくすることが可能となる。
【００１２】
本発明のクロマトグラフィー定量測定装置では、上記クロマトグラフィー定量測定装置において、上記測定台に、上記固定台の位置決めを行うための溝を設けた、ことを特徴とするものである。
これにより、固定台を正確に測定台に取り付けることが可能となる。
【００１３】
本発明のクロマトグラフィー定量測定装置では、上記クロマトグラフィー定量測定装置において、上記測定台に、上記固定台を固定するための可動可能な突起を設けた、ことを特徴とするものである。
これにより、固定台を正確に測定台に取り付けることが可能となる。
【００１４】
本発明のクロマトグラフィー定量測定装置では、上記クロマトグラフィー定量測定装置において、上記ビームを走査して、上記定量測定を行う、ことを特徴とするものである。
これにより、免疫クロマトグラフィー試験片のベース部と検知部両方の吸光度信号を得ることが可能となる。
【００１５】
本発明のクロマトグラフィー定量測定装置では、上記クロマトグラフィー定量測定装置において、上記固定台に、突起を設け、上記支持体に、上記突起を挿入可能な穴を設けた、ことを特徴とするものである。
これにより、免疫クロマトグラフィー試験片を固定台に位置決めして取り付けることが可能となる。
【００１６】
本発明のクロマトグラフィー定量測定装置では、上記クロマトグラフィー定量測定装置において、上記穴の形状は、円形である、ことを特徴とするものである。
これにより、免疫クロマトグラフィー試験片を固定台に位置決めして取り付けることが可能となる。
【００１７】
本発明のクロマトグラフィー定量測定装置では、上記クロマトグラフィー定量測定装置において、上記穴の形状は、矩形である、ことを特徴とするものである。
これにより、免疫クロマトグラフィー試験片を固定台に位置決めして取り付けることが可能となる。
【００１８】
本発明のクロマトグラフィー定量測定装置では、上記クロマトグラフィー定量測定装置において、上記穴を、上記展開層の上記被検査溶液の展開方向下流に設けた、ことを特徴とするものである。
これにより、試料が固定台に付着することを防ぐことが可能となる。
【００１９】
本発明のクロマトグラフィー定量測定装置では、上記クロマトグラフィー定量測定装置において、上記穴を、上記免疫クロマトグラフィー試験片の長辺方向の中心線に対して非対称となる形状にした、ことを特徴とするものである。
これにより、免疫クロマトグラフィー試験片を表裏逆に固定台に取り付けてしまうことを防止することが可能となる。
【００２０】
本発明のクロマトグラフィー定量測定装置では、上記クロマトグラフィー定量測定装置において、上記固定台に、ガイドを設け、上記支持体は上記展開層より大きいものであり、上記ガイドに上記支持体を沿わせるようにした、ことを特徴とするものである。
これにより、ガイドに展開層が付着することなく、固定台に精度良く免疫クロマトグラフィー試験片を取り付けることが可能となる。
【００２１】
本発明のクロマトグラフィー定量測定装置では、上記クロマトグラフィー定量測定装置において、上記ガイドの一部に傾斜を設けた、ことを特徴とするものである。
これにより、ガイドに支持体を沿わせる作業を容易にすることが可能となる。
【００２２】
本発明のクロマトグラフィー定量測定装置では、上記クロマトグラフィー定量測定装置において、上記支持体に、上記ガイドを挿入可能な切り欠きを設けた、ことを特徴とするものである。
これにより、ガイドに展開層が付着することなく、固定台に精度良く免疫クロマトグラフィー試験片を取り付けることが可能となる。
【００２３】
本発明のクロマトグラフィー定量測定装置では、上記クロマトグラフィー定量測定装置において、上記測定台に、突起を設け、上記免疫クロマトグラフィー試験片及び上記固定台に、上記突起を挿入可能な開口を設けた、ことを特徴とするものである。
これにより、固定台への免疫クロマトグラフィー試験片の取付作業が簡便になると共に、測定台に対して精度良く免疫クロマトグラフィー試験片を取り付けることが可能となる。
【００２４】
本発明のクロマトグラフィー定量測定装置では、上記クロマトグラフィー定量測定装置において、上記突起の先端部に傾斜を設けた、ことを特徴とするものである。
これにより、免疫クロマトグラフィー試験片の取付作業をより簡便にすることが可能となる。
【００２５】
本発明のクロマトグラフィー定量測定装置では、上記クロマトグラフィー定量測定装置において、上記免疫クロマトグラフィー試験片を上記固定台に固定する試験片固定器具を備え、上記試験片固定器具は、上記免疫クロマトグラフィー試験片の測定域近傍を押さえる、ことを特徴とするものである。
これにより、免疫クロマトグラフィー試験片のビームが照射される部分を平滑にすることが可能となる。
【００２６】
本発明のクロマトグラフィー定量測定装置では、上記クロマトグラフィー定量測定装置において、上記試験片固定器具は、上記免疫クロマトグラフィー試験片の支持体を押さえる、ことを特徴とするものである。
これにより、試験片固定器具に展開層が付着することなく、免疫クロマトグラフィー試験片のビームが照射される部分を平滑にすることが可能となる。
【００２７】
本発明のクロマトグラフィー定量測定装置では、上記クロマトグラフィー定量測定装置において、上記試験片固定器具に、上記ビームを透過する透過窓を設けた、ことを特徴とするものである。
これにより、試験片固定器具を装着したまま測定作業を行うことが可能となる。
【００２８】
本発明のクロマトグラフィー定量測定装置では、上記クロマトグラフィー定量測定装置において、上記試験片固定器具に、上記固定台に上記試験片固定器具を固定するための爪状突起を設けた、ことを特徴とするものである。
これにより、試験片固定器具の取付作業を容易にすることが可能となる。
【００２９】
本発明のクロマトグラフィー定量測定装置では、上記クロマトグラフィー定量測定装置において、上記試験片固定器具は、上記固定台をスライド移動する、ことを特徴とするものである。
これにより、試験片固定器具の取付作業を容易にすることが可能となる。
【００３０】
本発明のクロマトグラフィー定量測定装置では、上記クロマトグラフィー定量測定装置において、上記試験片固定器具もしくは上記固定台に傾斜部を設け、上記試験片固定器具と上記固定台とを上記傾斜部にて接触させて、上記試験片固定器具を上記固定台に固定する、ことを特徴とするものである。
これにより、試験片固定器具を容易に固定台に固定することが可能となる。
【００３１】
本発明のクロマトグラフィー定量測定装置では、上記クロマトグラフィー定量測定装置において、上記試験片固定器具は、上記固定台と一体である、ことを特徴とするものである。
これにより、試験片固定器具の紛失を防ぐことが可能となる。
【００３２】
本発明のクロマトグラフィー定量測定装置では、上記クロマトグラフィー定量測定装置において、上記試験片固定器具に、取っ手を設けた、ことを特徴とするものである。
これにより、試験片固定器具の取り扱いを容易にすることが可能となる。
【００３３】
本発明のクロマトグラフィー定量測定装置では、上記クロマトグラフィー定量測定装置において、上記試験片固定器具に、上記免疫クロマトグラフィー試験片を貫通する針を設けた、ことを特徴とするものである。
これにより、固定台より免疫クロマトグラフィー試験片を容易に取り除くことが可能となる。
【００３４】
本発明のクロマトグラフィー定量測定装置では、上記クロマトグラフィー定量測定装置において、上記支持体に、溝を設け、上記固定台もしくは上記測定台に、上記溝に挿入可能なガイドを設けた、ことを特徴とするものである。
これにより、ガイドに展開層が付着することなく、固定台に精度良く免疫クロマトグラフィー試験片を取り付けることが可能となる。
【００３５】
本発明のクロマトグラフィー定量測定装置では、上記クロマトグラフィー定量測定装置において、上記溝は、レーザ切断機により形成されてなるものである、ことを特徴とするものである。
これにより、免疫クロマトグラフィー試験片の製造工程を簡略化することが可能となる。
【００３６】
本発明のクロマトグラフィー定量測定装置では、上記クロマトグラフィー定量測定装置において、上記固定台に、上記免疫クロマトグラフィー試験片を挿入可能な挿入口を設けた、ことを特徴とするものである。
これにより、固定台への免疫クロマトグラフィー試験片の取付作業を簡便なものとすることが可能となる。
【００３７】
本発明のクロマトグラフィー定量測定装置では、上記クロマトグラフィー定量測定装置において、上記挿入口に傾斜を設けた、ことを特徴とするものである。
これにより、免疫クロマトグラフィー試験片の固定台への挿入を容易とすることが可能となる。
【００３８】
本発明のクロマトグラフィー定量測定装置では、上記クロマトグラフィー定量測定装置において、上記免疫クロマトグラフィー試験片に、上記固定台への挿入側端部に切り欠きを設け、上記固定台に、上記切り欠きと同形状の突起を設けた、ことを特徴とするものである。
これにより、固定台への挿入作業と同時に免疫クロマトグラフィー試験片の位置決めをも行うことが可能となる。
【００３９】
本発明のクロマトグラフィー定量測定装置では、上記クロマトグラフィー定量測定装置において、上記切り欠きは、上記免疫クロマトグラフィー試験片の長辺方向の中心線に対して非対称となる形状である、ことを特徴とするものである。
これにより、免疫クロマトグラフィー試験片を表裏逆にして固定台に挿入てしまうことを防止することが可能となる。
【００４０】
本発明のクロマトグラフィー定量測定装置では、上記クロマトグラフィー定量測定装置において、上記支持体に、上記免疫クロマトグラフィー試験片の上記固定台への挿入側端部に溝を設け、上記固定台に、上記溝に挿入可能な突起を設けた、ことを特徴とするものである。
これにより、固定台への挿入作業と同時に免疫クロマトグラフィー試験片の位置決めをも行え、さらには固定台への固定をも行うことが可能となる。
【００４１】
本発明のクロマトグラフィー定量測定装置では、上記クロマトグラフィー定量測定装置において、上記突起が上記溝に挿入されたことを検知する手段を備えた、ことを特徴とするものである。
これにより、免疫クロマトグラフィー試験片が固定台に正しく配されたことを把握することが可能となる。
【００４２】
本発明のクロマトグラフィー定量測定装置では、上記クロマトグラフィー定量測定装置において、上記免疫クロマトグラフィー試験片の形状は、上記固定台への挿入側の幅を狭めた段付き形状である、ことを特徴とするものである。
これにより、固定台への挿入作業と同時に免疫クロマトグラフィー試験片の位置決めをも行うことが可能となる。
【００４３】
本発明のクロマトグラフィー定量測定装置では、上記クロマトグラフィー定量測定装置において、上記固定台に、上記免疫クロマトグラフィー試験片を押さえる弾性部材を設けた、ことを特徴とするものである。
これにより、免疫クロマトグラフィー試験片のビームが照射される部分を平滑にすることが可能となる。
【００４４】
本発明のクロマトグラフィー定量測定装置では、上記クロマトグラフィー定量測定装置において、上記弾性部材と上記固定台を一体とした、ことを特徴とするものである。
これにより、弾性部材の紛失を防ぐことが可能となる。
【００４５】
本発明のクロマトグラフィー定量測定装置では、上記クロマトグラフィー定量測定装置において、上記弾性部材の端部に傾斜を設けた、ことを特徴とするものである。
これにより、免疫クロマトグラフィー試験片を固定台に円滑に挿入することが可能となる。
【００４６】
本発明のクロマトグラフィー定量測定装置では、上記クロマトグラフィー定量測定装置において、上記弾性部材による押さえを解除する機構を備えた、ことを特徴とするものである。
これにより、固定台から免疫クロマトグラフィー試験片を取り除く作業を容易とすることが可能となる。
【００４７】
本発明のクロマトグラフィー定量測定装置では、上記クロマトグラフィー定量測定装置において、上記クロマトグラフィー定量測定装置に、上記免疫クロマトグラフィー試験片を押さえる弾性部材を設けた、
ことを特徴とするものである。
これにより、固定台への免疫クロマトグラフィー試験片の取付が簡便になり、ビームが照射される部分を平滑にすることが可能となる。
【００４８】
本発明のクロマトグラフィー定量測定装置では、上記クロマトグラフィー定量測定装置において、上記弾性部材を着脱可能とした、ことを特徴とするものである。
これにより、弾性部材に不具合が生じた場合の対応を速やかに行うことが可能となる。
【００４９】
本発明のクロマトグラフィー定量測定装置では、上記クロマトグラフィー定量測定装置において、作業者は、上記支持体を保持し、上記固定台から上記免疫クロマトグラフィー試験片を取り外し可能である、ことを特徴とするものである。
これにより、免疫クロマトグラフィー試験片の取り外し作業に際して、作業者への試料による汚染をなくすことが可能となる。
【００５０】
本発明のクロマトグラフィー定量測定装置では、上記クロマトグラフィー定量測定装置において、上記支持体を折り曲げ、上記固定台より端部を浮かせるようにした、ことを特徴とするものである。
これにより、免疫クロマトグラフィー試験片の取り外し作業を簡便にすることが可能となる。
【００５１】
本発明のクロマトグラフィー定量測定装置では、上記クロマトグラフィー定量測定装置において、上記支持体に溝を設け、上記支持体を折り曲げるようにした、ことを特徴とするものである。
これにより、容易に支持体を折り曲げることができ、免疫クロマトグラフィー試験片の取り外し作業を簡便にすることが可能となる。
【００５２】
本発明のクロマトグラフィー定量測定装置では、上記クロマトグラフィー定量測定装置において、上記支持体は、上記固定台より突出するようにした、ことを特徴とするものである。
これにより、免疫クロマトグラフィー試験片の取り外し作業に際して、作業者が保持しやすく作業性を向上させることが可能となる。
【００５３】
本発明のクロマトグラフィー定量測定装置では、上記クロマトグラフィー定量測定装置において、上記支持体の一部に滑り止めを設けた、ことを特徴とするものである。
これにより、免疫クロマトグラフィー試験片の取り外し作業に際して、作業者が保持しやすく作業性を向上させることが可能となる。
【００５４】
本発明のクロマトグラフィー定量測定装置では、上記クロマトグラフィー定量測定装置において、上記固定台に、上記検査溶液を受ける溝を設けた、ことを特徴とするものである。
これにより、免疫クロマトグラフィー試験片への試料添加作業中に誤って漏れだした試料が測定装置に付着することを防ぐことが可能となる。
【００５５】
本発明のクロマトグラフィー定量測定装置では、上記クロマトグラフィー定量測定装置において、上記溝にスロープを設け、上記検査溶液を上記免疫クロマトグラフィー試験片の断面方向から上記展開層に供給可能とした、ことを特徴とするものである。
これにより、固定台を他種類の試験片に対応させることが可能となる。
【００５６】
本発明のクロマトグラフィー定量測定装置では、上記クロマトグラフィー定量測定装置において、上記固定台に撥水処理を施した、ことを特徴とするものである。
これにより、免疫クロマトグラフィー試験片への試料添加作業中に誤って漏れだした試料を容易に拭き取ることが可能となる。
【００５７】
本発明のクロマトグラフィー定量測定装置では、上記クロマトグラフィー定量測定装置において、上記固定台に吸水性物質を取り付けた、ことを特徴とするものである。
これにより、免疫クロマトグラフィー試験片への試料添加作業中に誤って漏れだした試料を吸収性物質により吸着させ、測定装置に試料が付着することを防ぐことが可能となる。
【００５８】
本発明のクロマトグラフィー定量測定装置では、上記クロマトグラフィー定量測定装置において、上記固定台は、除去棒を挿入可能な貫通穴を有し、上記貫通穴に棒を挿入して、上記免疫クロマトグラフィー試験片を押し、上記固定台から上記免疫クロマトグラフィー試験片を取り除くようにした、ことを特徴とするものである。
これにより、免疫クロマトグラフィー試験片の取り外し作業に際して、作業者への試料による汚染をなくすことが可能となる。
【００５９】
本発明のクロマトグラフィー定量測定装置では、上記クロマトグラフィー定量測定装置において、上記除去棒を上記固定台と一体とした、ことを特徴とするものである。
これにより、棒の紛失を防ぐことが可能となる。
【発明の効果】
【００６０】
本発明のクロマトグラフィー定量測定装置によれば、被検査溶液を免疫クロマトグラフィー試験片に添加し、上記被検査溶液の展開が終了すると、上記免疫クロマトグラフィー試験片の検知部にビームを照射して光学的な信号の検出を行い、該検出した信号から試料濃度を定量的に読み取って定量測定を行うクロマトグラフィー定量測定装置において、上記免疫クロマトグラフィー試験片を保持する固定台と、上記固定台を保持する測定台と、を備え、上記免疫クロマトグラフィー試験片は、検査溶液を展開するための展開層と、上記展開層を保持するための支持体とからなることより、免疫クロマトグラフィー試験片を精度良くクロマトグラフィー定量測定装置に取り付けることが可能となり、かつ、ケーシングにかかるコスト及び保管場所を少なくすることが可能となる。
【００６１】
本発明のクロマトグラフィー定量測定装置によれば、上記クロマトグラフィー定量測定装置において、上記測定台に、上記固定台の位置決めを行うための溝を設けたことより、固定台を正確に測定台に取り付けることが可能となる。
【００６２】
本発明のクロマトグラフィー定量測定装置によれば、上記クロマトグラフィー定量測定装置において、上記測定台に、上記固定台を固定するための可動可能な突起を設けたことより、固定台を正確に測定台に取り付けることが可能となる。
【００６３】
本発明のクロマトグラフィー定量測定装置によれば、上記クロマトグラフィー定量測定装置において、上記ビームを走査して、上記定量測定を行うことより、免疫クロマトグラフィー試験片のベース部と検知部両方の吸光度信号を得ることが可能となる。
【００６４】
本発明のクロマトグラフィー定量測定装置によれば、上記クロマトグラフィー定量測定装置において、上記固定台に、突起を設け、上記支持体に、上記突起を挿入可能な穴を設けたことより、免疫クロマトグラフィー試験片を固定台に位置決めして取り付けることが可能となる。
【００６５】
本発明のクロマトグラフィー定量測定装置によれば、上記クロマトグラフィー定量測定装置において、上記穴の形状は、円形であることより、免疫クロマトグラフィー試験片を固定台に位置決めして取り付けることが可能となる。
【００６６】
本発明のクロマトグラフィー定量測定装置によれば、上記クロマトグラフィー定量測定装置において、上記穴の形状は、矩形であることより、免疫クロマトグラフィー試験片を固定台に位置決めして取り付けることが可能となる。
【００６７】
本発明のクロマトグラフィー定量測定装置によれば、上記クロマトグラフィー定量測定装置において、上記穴を、上記展開層の上記被検査溶液の展開方向下流に設けたことより、試料が固定台に付着することを防ぐことが可能となる。
【００６８】
本発明のクロマトグラフィー定量測定装置によれば、上記クロマトグラフィー定量測定装置において、上記穴を、上記免疫クロマトグラフィー試験片の長辺方向の中心線に対して非対称となる形状にしたことより、免疫クロマトグラフィー試験片を表裏逆に固定台に取り付けてしまうことを防止することが可能となる。
【００６９】
本発明のクロマトグラフィー定量測定装置によれば、上記クロマトグラフィー定量測定装置において、上記固定台に、ガイドを設け、上記支持体は上記展開層より大きいものであり、上記ガイドに上記支持体を沿わせるようにしたので、ガイドに展開層が付着することなく、固定台に精度良く免疫クロマトグラフィー試験片を取り付けることが可能となる。
【００７０】
本発明のクロマトグラフィー定量測定装置によれば、上記クロマトグラフィー定量測定装置において、上記ガイドの一部に傾斜を設けたことより、ガイドに支持体を沿わせる作業を容易にすることが可能となる。
【００７１】
本発明のクロマトグラフィー定量測定装置によれば、上記クロマトグラフィー定量測定装置において、上記支持体に、上記ガイドを挿入可能な切り欠きを設けたことより、ガイドに展開層が付着することなく、固定台に精度良く免疫クロマトグラフィー試験片を取り付けることが可能となる。
【００７２】
本発明のクロマトグラフィー定量測定装置によれば、上記クロマトグラフィー定量測定装置において、上記測定台に、突起を設け、上記免疫クロマトグラフィー試験片及び上記固定台に、上記突起を挿入可能な開口を設けたことより、固定台への免疫クロマトグラフィー試験片の取付作業が簡便になると共に、測定台に対して精度良く免疫クロマトグラフィー試験片を取り付けることが可能となる。
【００７３】
本発明のクロマトグラフィー定量測定装置によれば、上記クロマトグラフィー定量測定装置において、上記突起の先端部に傾斜を設けたことより、免疫クロマトグラフィー試験片の取付作業をより簡便にすることが可能となる。
【００７４】
本発明のクロマトグラフィー定量測定装置によれば、上記クロマトグラフィー定量測定装置において、上記免疫クロマトグラフィー試験片を上記固定台に固定する試験片固定器具を備え、上記試験片固定器具は、上記免疫クロマトグラフィー試験片の測定域近傍を押さえることより、免疫クロマトグラフィー試験片のビームが照射される部分を平滑にすることが可能となる。
【００７５】
本発明のクロマトグラフィー定量測定装置によれば、上記クロマトグラフィー定量測定装置において、上記試験片固定器具は、上記免疫クロマトグラフィー試験片の支持体を押さえることより、試験片固定器具に展開層が付着することなく、免疫クロマトグラフィー試験片のビームが照射される部分を平滑にすることが可能となる。
【００７６】
本発明のクロマトグラフィー定量測定装置によれば、上記クロマトグラフィー定量測定装置において、上記試験片固定器具に、上記ビームを透過する透過窓を設けたことより、試験片固定器具を装着したまま測定作業を行うことが可能となる。
【００７７】
本発明のクロマトグラフィー定量測定装置によれば、上記クロマトグラフィー定量測定装置において、上記試験片固定器具に、上記固定台に上記試験片固定器具を固定するための爪状突起を設けたことより、試験片固定器具の取付作業を容易にすることが可能となる。
【００７８】
本発明のクロマトグラフィー定量測定装置によれば、上記クロマトグラフィー定量測定装置において、上記試験片固定器具は、上記固定台をスライド移動することより、試験片固定器具の取付作業を容易にすることが可能となる。
【００７９】
本発明のクロマトグラフィー定量測定装置によれば、上記クロマトグラフィー定量測定装置において、上記試験片固定器具もしくは上記固定台に傾斜部を設け、上記試験片固定器具と上記固定台とを上記傾斜部にて接触させて、上記試験片固定器具を上記固定台に固定することより、試験片固定器具を容易に固定台に固定することが可能となる。
【００８０】
本発明のクロマトグラフィー定量測定装置によれば、上記クロマトグラフィー定量測定装置において、上記試験片固定器具は、上記固定台と一体であることより、試験片固定器具の紛失を防ぐことが可能となる。
【００８１】
本発明のクロマトグラフィー定量測定装置によれば、上記クロマトグラフィー定量測定装置において、上記試験片固定器具に、取っ手を設けたことより、試験片固定器具の取り扱いを容易にすることが可能となる。
【００８２】
本発明のクロマトグラフィー定量測定装置によれば、上記クロマトグラフィー定量測定装置において、上記試験片固定器具に、上記免疫クロマトグラフィー試験片を貫通する針を設けたことより、固定台より免疫クロマトグラフィー試験片を容易に取り除くことが可能となる。
【００８３】
本発明のクロマトグラフィー定量測定装置によれば、上記クロマトグラフィー定量測定装置において、上記支持体に、溝を設け、上記固定台もしくは上記測定台に、上記溝に挿入可能なガイドを設けたことより、ガイドに展開層が付着することなく、固定台に精度良く免疫クロマトグラフィー試験片を取り付けることが可能となる。
【００８４】
本発明のクロマトグラフィー定量測定装置によれば、上記クロマトグラフィー定量測定装置において、上記溝は、レーザ切断機により形成されてなるものであることより、免疫クロマトグラフィー試験片の製造工程を簡略化することが可能となる。
【００８５】
本発明のクロマトグラフィー定量測定装置によれば、上記クロマトグラフィー定量測定装置において、上記固定台に、上記免疫クロマトグラフィー試験片を挿入可能な挿入口を設けたことより、固定台への免疫クロマトグラフィー試験片の取付作業を簡便なものとすることが可能となる。
【００８６】
本発明のクロマトグラフィー定量測定装置によれば、上記クロマトグラフィー定量測定装置において、上記挿入口に傾斜を設けたことより、免疫クロマトグラフィー試験片の固定台への挿入を容易とすることが可能となる。
【００８７】
本発明のクロマトグラフィー定量測定装置によれば、上記クロマトグラフィー定量測定装置において、上記免疫クロマトグラフィー試験片に、上記固定台への挿入側端部に切り欠きを設け、上記固定台に、上記切り欠きと同形状の突起を設けたことより、固定台への挿入作業と同時に免疫クロマトグラフィー試験片の位置決めをも行うことが可能となる。
【００８８】
本発明のクロマトグラフィー定量測定装置によれば、上記クロマトグラフィー定量測定装置において、上記切り欠きは、上記免疫クロマトグラフィー試験片の長辺方向の中心線に対して非対称となる形状であることより、免疫クロマトグラフィー試験片を表裏逆にして固定台に挿入してしまうことを防止することが可能となる。
【００８９】
本発明のクロマトグラフィー定量測定装置によれば、上記クロマトグラフィー定量測定装置において、上記支持体に、上記免疫クロマトグラフィー試験片の上記固定台への挿入側端部に溝を設け、上記固定台に、上記溝に挿入可能な突起を設けたことより、固定台への挿入作業と同時に免疫クロマトグラフィー試験片の位置決めをも行え、さらには固定台への固定をも行うことが可能となる。
【００９０】
本発明のクロマトグラフィー定量測定装置によれば、上記クロマトグラフィー定量測定装置において、上記突起が上記溝に挿入されたことを検知する手段を備えたことより、免疫クロマトグラフィー試験片が固定台に正しく配されたことを把握することが可能となる。
【００９１】
本発明のクロマトグラフィー定量測定装置によれば、上記クロマトグラフィー定量測定装置において、上記免疫クロマトグラフィー試験片の形状は、上記固定台への挿入側の幅を狭めた段付き形状であることより、固定台への挿入作業と同時に免疫クロマトグラフィー試験片の位置決めをも行うことが可能となる。
【００９２】
本発明のクロマトグラフィー定量測定装置によれば、上記クロマトグラフィー定量測定装置において、上記固定台に、上記免疫クロマトグラフィー試験片を押さえる弾性部材を設けたことより、免疫クロマトグラフィー試験片のビームが照射される部分を平滑にすることが可能となる。
【００９３】
本発明のクロマトグラフィー定量測定装置によれば、上記クロマトグラフィー定量測定装置において、上記弾性部材と上記固定台を一体としたことより、弾性部材の紛失を防ぐことが可能となる。
【００９４】
本発明のクロマトグラフィー定量測定装置によれば、上記クロマトグラフィー定量測定装置において、上記弾性部材の端部に傾斜を設けたことより、免疫クロマトグラフィー試験片を固定台に円滑に挿入することが可能となる。
【００９５】
本発明のクロマトグラフィー定量測定装置によれば、上記クロマトグラフィー定量測定装置において、上記弾性部材による押さえを解除する機構を備えたことより、固定台から免疫クロマトグラフィー試験片を取り除く作業を容易とすることが可能となる。
【００９６】
本発明のクロマトグラフィー定量測定装置によれば、上記クロマトグラフィー定量測定装置において、上記クロマトグラフィー定量測定装置に、上記免疫クロマトグラフィー試験片を押さえる弾性部材を設けたことより、固定台への免疫クロマトグラフィー試験片の取付が簡便になり、ビームが照射される部分を平滑にすることが可能となる。
【００９７】
本発明のクロマトグラフィー定量測定装置によれば、上記クロマトグラフィー定量測定装置において、上記弾性部材を着脱可能としたことより、弾性部材に不具合が生じた場合の対応を速やかに行うことが可能となる。
【００９８】
本発明のクロマトグラフィー定量測定装置によれば、上記クロマトグラフィー定量測定装置において、作業者は、上記支持体を保持し、上記固定台から上記免疫クロマトグラフィー試験片を取り外し可能であるようにしたので、免疫クロマトグラフィー試験片の取り外し作業に際して、作業者への試料による汚染をなくすことが可能となる。
【００９９】
本発明のクロマトグラフィー定量測定装置によれば、上記クロマトグラフィー定量測定装置において、上記支持体を折り曲げ、上記固定台より端部を浮かせるようにしたので、免疫クロマトグラフィー試験片の取り外し作業を簡便にすることが可能となる。
【０１００】
本発明のクロマトグラフィー定量測定装置によれば、上記クロマトグラフィー定量測定装置において、上記支持体に溝を設け、上記支持体を折り曲げるようにしたので、容易に支持体を折り曲げることができ、免疫クロマトグラフィー試験片の取り外し作業を簡便にすることが可能となる。
【０１０１】
本発明のクロマトグラフィー定量測定装置によれば、上記クロマトグラフィー定量測定装置において、上記支持体は、上記固定台より突出するようにしたので、免疫クロマトグラフィー試験片の取り外し作業に際して、作業者が保持しやすく作業性を向上させることが可能となる。
【０１０２】
本発明のクロマトグラフィー定量測定装置によれば、上記クロマトグラフィー定量測定装置において、上記支持体の一部に滑り止めを設けたことより、免疫クロマトグラフィー試験片の取り外し作業に際して、作業者が保持しやすく作業性を向上させることが可能となる。
【０１０３】
本発明のクロマトグラフィー定量測定装置によれば、上記クロマトグラフィー定量測定装置において、上記固定台に、上記検査溶液を受ける溝を設けたことより、免疫クロマトグラフィー試験片への試料添加作業中に誤って漏れだした試料が測定装置に付着することを防ぐことが可能となる。
【０１０４】
本発明のクロマトグラフィー定量測定装置によれば、上記クロマトグラフィー定量測定装置において、上記溝にスロープを設け、上記検査溶液を上記免疫クロマトグラフィー試験片の断面方向から上記展開層に供給可能としたことより、固定台を他種類の試験片に対応させることが可能となる。
【０１０５】
本発明のクロマトグラフィー定量測定装置によれば、上記クロマトグラフィー定量測定装置において、上記固定台に撥水処理を施したことより、免疫クロマトグラフィー試験片への試料添加作業中に誤って漏れだした試料を容易に拭き取ることが可能となる。
【０１０６】
本発明のクロマトグラフィー定量測定装置によれば、上記クロマトグラフィー定量測定装置において、上記固定台に吸水性物質を取り付けたことより、免疫クロマトグラフィー試験片への試料添加作業中に誤って漏れだした試料を吸収性物質により吸着させ、測定装置に試料が付着することを防ぐことが可能となる。
【０１０７】
本発明のクロマトグラフィー定量測定装置によれば、上記クロマトグラフィー定量測定装置において、上記固定台は、除去棒を挿入可能な貫通穴を有し、上記貫通穴に棒を挿入して、上記免疫クロマトグラフィー試験片を押し、上記固定台から上記免疫クロマトグラフィー試験片を取り除くようにしたことより、免疫クロマトグラフィー試験片の取り外し作業に際して、作業者への試料による汚染をなくすことが可能となる。
【０１０８】
本発明のクロマトグラフィー定量測定装置によれば、上記クロマトグラフィー定量測定装置において、上記除去棒を上記固定台と一体としたことより、棒の紛失を防ぐことが可能となる。
【図面の簡単な説明】
【０１０９】
【図１】本発明の実施の形態１におけるクロマトグラフィー定量測定装置の斜視図
【図２】本発明の実施の形態２におけるクロマトグラフィー定量測定装置の斜視図
【図３】測定台に突起を設け、支持体及び固定台に突起を挿入可能な穴を設けたクロマトグラフィー定量測定装置の断面図
【図４】本発明の実施の形態３におけるクロマトグラフィー定量測定装置の斜視図
【図５】本発明の実施の形態４におけるクロマトグラフィー定量測定装置の断面図
【図６】本発明の実施の形態５におけるクロマトグラフィー定量測定装置の斜視図
【図７】本発明の実施の形態６におけるクロマトグラフィー定量測定装置の斜視図
【図８】除去棒を貫通可能な貫通穴を固定台に設けたクロマトグラフィー定量測定装置の断面図
【図９】従来の反射吸光光度計の斜視図
【発明を実施するための形態】
【０１１０】
以下、本発明の実施の形態について図面を参照しながら説明する。なお、ここで示す実施の形態はあくまでも一例であって、必ずしもこの実施の形態に限定されるものではない。
【０１１１】
（実施の形態１）
以下に、実施の形態１によるクロマトグラフィー定量測定装置について図１を用いて説明する。
図１は、実施の形態１によるクロマトグラフィー定量測定装置の斜視図である。
【０１１２】
図１において、１は光源であり、ビームを放射する。５はガラス板である。１５は受光素子であり、ガラス板５を反射したビームを受光する。１６は受光素子であり、ガラス板５を透過して免疫クロマトグラフィー試験片７の検知部１１を反射したビームを受光する。７は免疫クロマトグラフィー試験片であり、添加された被検査溶液が浸透する部分である展開層１３と、展開層１３を保持する支持体１４とからなり、長さ５０mm、幅５mm程度の大きさである。
【０１１３】
展開層１３は、被検査溶液を添加する部分である添加部９と、被検査溶液中に含まれる測定対象物質と特異的に結合反応を起こす標識試薬を保持する部分である標識試薬保持部１０と、測定対象物質と標識試薬とが特異的に結合した結合物質を固定化する試薬が保持される部分である検知部１１と、検知部１１において固定化されなかった結合物質により吸光度信号に誤差が生じるのを避けるために検知部１１から所定の距離に位置するベース部１２と、を備えたものである。なお、展開層１３は、被検査溶液が湿潤可能な材料であるメンブレンフィルタからなるものであり、展開層１３に用いる材料としては、メンブレンフィルタ以外でも、被検査溶液が湿潤可能な材料であれば、ガラス繊維濾紙、不織布等任意の材料を用いて構成できる。
【０１１４】
支持体１４は、被検査溶液により湿潤されない材料であるＰＥＴ（Polyethylene terephthalate）からなる。支持体１３に用いる材料としては、ＰＥＴ以外でも、被検査溶液により湿潤されない材料であれば、ＡＢＳ等任意の材料を用いて構成できる。このように構成した免疫クロマトグラフィー試験片７に、被検査溶液を滴下することにより、被検査溶液に含まれる測定対象を測定することができる。
【０１１５】
１７は固定台であり、免疫クロマトグラフィー試験片７を保持する。なお、固定台１７は定量測定時に繰り返して使用可能であり、免疫クロマトグラフィー試験片７を定量測定後に付け替えることができ、その結果、従来のようなハードケースの必要性がなくなり、コストを低下させるとともに、定量測定に必要な部品の保管場所を最小限に抑えることができる。
【０１１６】
１８は測定台であり、固定台１７を保持する。このとき、測定台１８には固定台１７の位置決めを行うための溝を設けた。これにより、固定台１７を正確に測定台１８に取り付けることが可能となる。なお、測定台１８は走査可能な構成とすることで、検知部１１及びベース部１２に至る領域にビームを走査して定量測定を行う。これにより、検知部１１及びベース部１２の吸光度信号を得ることができる。ここで、免疫クロマトグラフィー試験片７に照射されるビームの形状は円または楕円、もしくは矩形でも良く、さらには検知部１１の全域にビームが照射される形状が望ましい。
１９は固定台保持体であり、測定台１８に可動可能な構成として取り付けられ、固定台１７を測定台１８に固定するために用いるものである。
【０１１７】
以上のように構成されるクロマトグラフィー定量測定装置を用いた免疫クロマトグラフィー試験片７の定量測定について説明する。
まず、免疫クロマトグラフィー試験片７の添加部９に、被検査溶液を添加する。添加された被検査溶液は展開層１３上を展開し、添加された被検査溶液に測定対象物が含まれている場合、標識試薬保持部１０において、被検査溶液中に含まれる測定対象物と標識試薬保持部１０に保持されている標識試薬とが特異的結合反応を起こす。その後、検知部１１において、標識試薬と特異的に結合した測定対象物、つまり、結合物質が固定化される。このとき、変色反応を起こし、その幅は１mm程度である。なお、変色による濃度と測定対象物濃度は比例関係を持つ。検知部１１を通過した被検査溶液は、展開層１３に浸透することにより吸収される。
【０１１８】
被検査溶液の展開が終了すると、光源１からビームを出射し、該出射されたビームはガラス板５に入射する。ガラス板５で反射されたビームは参照光として受光素子１５に入射する。また、ガラス板５を透過したビームは免疫クロマトグラフィー試験片７に照射される。このとき、展開層１３の表面上で生じた散乱光は受光素子１６によって検知される。そして、受光素子１５、１６により検知された参照光及び散乱光をそれぞれＬｏｇ変換し、これらの引き算結果を吸光度信号として取得する。
【０１１９】
このような実施の形態１によるクロマトグラフィー定量測定装置では、被検査溶液がクロマトグラフィー定量測定装置に付着することなく測定操作を行うことができ、また、免疫クロマトグラフィー試験片７をクロマトグラフィー定量測定装置に容易に取り付けることが可能となる。さらに、検知部１１及びベース部１２に至る領域に精度良くビームを照射することが可能となる。また、免疫クロマトグラフィー試験片７単体での測定が可能となるため、クロマトグラフィー試験片７を個別にケースに入れる必要性がなくなり、その結果、ケーシングにかかるコストを低下させるとともに、保管場所を最小限に抑えることができる。
【０１２０】
（実施の形態２）
以下、実施の形態２について図２を用いて説明する。
なお、実施の形態１との違いは、支持体１４と固定台１７にそれぞれ穴２０と突起２１を設け、より精度良く免疫クロマトグラフィー試験片７を固定台１７に簡単に取り付け可能とした点である。また、免疫クロマトグラフィー試験片７の定量測定方法については実施の形態１で説明したので、ここでは、その説明を省略する。
【０１２１】
図２は、実施の形態２によるクロマトグラフィー定量測定装置の斜視図であり、図において、図１と同一または相当する構成要素については同じ符号を用い、その説明を省略する。
図２において、２０は穴であり、免疫クロマトグラフィー試験片７における支持体１４に設けられる。なお、穴２０の形状は円形であるが矩形としても良く、穴２０を矩形とした場合には、矩形の一辺もしくは複数の辺を位置決めとして用いることで、固定台１７に対して免疫クロマトグラフィー試験片７をより精度良く取り付けることが可能となる。また、穴２０を支持体１４の被検査溶液の展開方向下流に設けるようにすれば、被検査溶液の添加作業中に、穴２０及び突起２１への被検査溶液の付着を防ぐことができる。また、穴２０を免疫クロマトグラフィー試験片７の長辺方向の中心線に対して非対称形状となるようにすれば、免疫クロマトグラフィー試験片７を間違って表裏逆にして固定台１７に取り付けてしまうことを防ぐことが可能となる。
【０１２２】
２１は突起であり、穴２０に対して同形状もしくはわずかに小径な形状とし、固定台１７に設けられる。なお、この突起２１を測定台１８に設けても良い。この場合、図３に示すように、穴２０と同一形状の穴を固定台１７に設け、測定台１８に設けられた突起２１が固定台１７及び支持体１４の穴を貫通することで、固定台１７への免疫クロマトグラフィー試験片７の取付作業が簡便になるとともに、測定台１８に対して精度良く取り付けることができる。このとき、突起２１の先端に傾斜を持たせるようにすることが望ましい。
【０１２３】
２２はガイドであり、支持体１４の位置決めを行うものであり、固定台１７に設けられる。なお、ガイド２２は支持体１４と同じ、もしくはやや大きめの幅を持つ。ガイド２２に支持体１４を沿わせた状態で固定台１７に免疫クロマトグラフィー試験片７を保持させる。ここで、支持体１４を展開層１３よりも大きくすれば、ガイド２２と接触するのは支持体１４となり、展開層１３が取り外し作業により剥離し、ガイド２２に付着することを防ぐことができる。また、ガイド２２の端面に傾斜を持たせるようにすれば、固定台１７への取付作業を容易にすることが可能となる。
【０１２４】
このような実施の形態２によるクロマトグラフィー測定装置では、支持体１４を展開層１３よりも大きくすることにより、ガイド２２と接触するのは支持体１４となり、その結果、展開層１３が取り外し作業により剥離し、ガイド２２に付着することを防ぐことができる。
【０１２５】
また、穴２０を支持体１４の被検査溶液の展開方向下流に設け、穴２０とほぼ同形状の突起２１と、支持体１４を固定するガイド２２と、を固定台１７に設けたことより、展開層１３が剥離して突起２１に付着することを防ぐとともに、被検査溶液の添加作業中に、穴２０及び突起２１に被検査溶液が付着することを防ぎ、その結果、免疫クロマトグラフィー試験片７を固定台１７に繰り返し取り付ける作業を行っても取付精度が悪化せず、さらに、固定台１７に対して精度良く免疫クロマトグラフィー試験片７を容易に取り付けることを可能にすることができる。
【０１２６】
なお、本実施の形態２において、支持体１４に切り欠きを設け、ガイド２２の形状を支持体１４に設けた切り欠きと同様な形状とし、切り欠きをガイド２２に挿入するようにしても、固定台１７に精度良く免疫クロマトグラフィー試験片７を取り付けることが可能となる。このとき、切り欠きを免疫クロマトグラフィー試験片７の長辺方向の中心線に対して非対称形状する、もしくは、切り欠き及びガイド２２を一方のみに設けるようにすることで免疫クロマトグラフィー試験片７を固定台１７に表裏逆に取り付けてしまうことを無くすことが可能となる。
【０１２７】
（実施の形態３）
以下に、実施の形態３によるクロマトグラフィー定量測定装置について図４を用いて説明する。
なお、実施の形態２との違いは、固定台１７に装着可能な試験片固定器具２３を設けた点である。また、免疫クロマトグラフィー試験片７の定量測定については実施の形態１で説明したので、ここでは、その説明を省略する。
【０１２８】
図４は、実施の形態３によるクロマトグラフィー定量測定装置の斜視図であり、図において、図２と同一または相当する構成要素については同じ符号を用い、その説明を省略する。
図４(ａ)において、２３は試験片固定器具であり、固定台１７に装着されると、免疫クロマトグラフィー試験片７の測定領域を押さえ、ビームが照射される部分を平滑にすることができる。なお、ここでは、ビームが走査される領域の支持体１４を押さえる。これにより、展開層１３が試験片固定器具２３に付着することを防止することができ、着脱作業を繰り返しても取付精度を維持することが可能となる。なお、支持体１４と接触する部分に弾性を持たせる構成とすることが望ましい。また、試験片固定器具２３は固定台１７と別部品となっているが、固定台１７と一体としても構わない。このようにすれば、試験片固定器具２３の紛失を防ぐことができる。
【０１２９】
２４は透過窓であり、ビームを透過する。試験片固定器具２３上のビームが照射される面に設けられ、幅はビームの幅よりやや大きめとし、長辺方向には走査によりビームを妨げない程度の窓とする。これにより、試験片固定器具２３を装着した状態で吸光度測定を行うことができる。
【０１３０】
２５は爪状突起であり、試験片固定器具２３に設けられ、固定台１７に試験片固定器具２３を固定する。なお、爪状突起２５が挿入される開口４０を固定台１７上に設けているが、２つの爪状突起２５の間隔を固定台１７の幅と等しくすることにより、試験片固定器具２３を固定するようにしても良い。
【０１３１】
２６は取っ手であり、試験片固定器具２３に設けられ、固定台１７への着脱が容易になる。なお、取っ手２６は、固定台１７に対して試験片固定器具２３を着脱するための作業を行う際に、作業者が保持しやすい形状が望ましく、その表面に滑り止めの加工を施すとなお良い。
【０１３２】
２７は針であり、試験片固定器具２３に設けられる。なお、試験片固定器具２３を固定台１７に取り付ける際に、クロマトグラフィー試験片７を、ここでは支持体１４を貫通するようにする。これにより、試験片固定器具２３を固定台１７から取り外した場合、免疫クロマトグラフィー試験片７が試験片固定器具２３と共に固定台１７からはずれるため、作業者に被検査溶液が付着することなしに、免疫クロマトグラフィー試験片７を廃棄することが可能となる。
【０１３３】
このような実施の形態３によるクロマトグラフィー定量測定装置では、固定台１７に免疫クロマトグラフィー試験片７を取り付け、透過窓２４を有する試験片固定器具２３を装着することにより、ビームにより走査される領域を平滑にし、吸光度測定の精度を向上させることができるとともに、試験片固定器具２３を装着した状態で吸光度測定を行うことができる。
【０１３４】
また、試験片固定器具２３と支持体１４を接触させることにより、展開層１３が試験片固定器具２３に付着することを防止することができ、着脱作業を繰り返しても取付精度を維持することが可能となる。
【０１３５】
さらに、試験片固定器具２３に針２７を設けたことにより、試験片固定器具２３を固定台１７より取り外したとき、免疫クロマトグラフィー試験片７が試験片固定器具２３と共に固定台１７からはずれるため、作業者に被検査溶液が付着することなしに、免疫クロマトグラフィー試験片７を廃棄することが可能となる。
【０１３６】
なお、本実施の形態３において、図４（ａ）に示すように、爪状突起２５を用いて試験片固定器具２３を固定台１７に取りつける場合について説明したが、図４(ｂ)に示すように、試験片固定器具２３を固定台１７に対してスライド移動させて固定するようにしても良い。このとき、試験片固定器具２３と固定台１７がくさび状となることで、固定されるようにする。また、試験片固定器具２３もしくは固定台１７に傾斜部を設け、この試験片固定器具２３と固定台１７を傾斜部にて接触させることで、試験片固定器具２３を固定台１７に固定するようにしてもよい。
【０１３７】
（実施の形態４）
以下、実施の形態４によるクロマトグラフィー定量測定装置について、図５を用いて説明する。
なお、実施の形態１との違いは、支持体１４と固定台１７にそれぞれ溝２８とガイド２９を設けた店である。また、免疫クロマトグラフィー試験片７の定量測定については実施の形態１で説明したので、ここでは、その説明を省略する。
【０１３８】
図５は、実施の形態４によるクロマトグラフィー定量測定装置の断面図であり、図において、図１と同一または相当する構成要素については同じ符号を用い、その説明を省略する。
図５において、免疫クロマトグラフィー試験片７には、固定台１７への挿入側端部に切り欠き５０を設けた。なお、切り欠き５０を、免疫クロマトグラフィー試験片７の長辺方向の中心線に対して非対称形状になるようにすれば、免疫クロマトグラフィー試験片７を裏表逆に取り付けるなどの失敗がなくなる。
【０１３９】
支持体１４には溝２８を設けた。なお、免疫クロマトグラフィー試験片７を作成する際に用いるレーザ切断機により形成する方法により溝２８を形成するようにすれば、作業工程を省略することができる。このとき、溝２８及びガイド２９は、免疫クロマトグラフィー試験片７の長辺方向の中心線に対して、非対称とすることが望ましい。
【０１４０】
固定台１７には、固定台１７に、切り欠き５０と同一形状の突起３０と、溝２８に挿入可能なガイド２９と、免疫クロマトグラフィー試験片７を挿入可能な挿入口を設けた。ここで、挿入口には傾斜を設け、固定台１７内部に向かって狭まるような形状とする。
【０１４１】
このような実施の形態４によるクロマトグラフィー定量測定装置では、免疫クロマトグラフィー試験片７を固定台１７の定められた位置に固定することができる。このとき、支持体１４に設ける切り欠き５０を、免疫クロマトグラフィー試験片７の長辺方向の中心線に対して非対称となる形状とすることにより、免疫クロマトグラフィー試験片７を表裏逆に取り付けてしまうことを防止することができる。
【０１４２】
（実施の形態５）
以下、実施の形態５によるクロマトグラフィー定量測定装置について図６を用いて説明する。
なお、実施の形態１との違いは、支持体１４と固定台１７にそれぞれ溝２８とガイド２９を設けた点である。また、免疫クロマトグラフィー試験片７の定量測定については実施の形態１で説明したので、ここでは、その説明を省略する。
【０１４３】
図６は、実施の形態５によるクロマトグラフィー定量測定装置の斜視図であり、図において、図５と同一または相当する構成要素については同じ符号を用い、その説明を省略する。
図６(ａ)において、支持体１４に、固定台１７への挿入側の終端部に溝２８を設けた。
【０１４４】
固定台１７には、溝２８に挿入可能なガイド２９と、免疫クロマトグラフィー試験片７を押さえる弾性部材からなる押さえ３１と、を設けた。
ガイド２９は、免疫クロマトグラフィー試験片7が固定台１７に完全に挿入されたとき、溝２８に挿入するようにすることで、固定台１７に対して一定の位置に免疫クロマトグラフィー試験片７が固定される。このとき、ガイド２９が溝２８に挿入されたことを検知する手段を備えるようにすれば、免疫クロマトグラフィー試験片７が固定台に正しく配されたことを把握することができ、その結果、測定の誤操作を無くすことができる。その例として、ガイド２９に電極を設け、溝２８の表面を導電性材料とする構成が挙げられる。
【０１４５】
また、押さえ３１は、固定台１７と一体であり、免疫クロマトグラフィー試験片７上のビームを走査する領域近辺を押さえる。特に、支持体１４の部分を押さえるようにすることが望ましく、その端部には傾斜を設けるようにする。固定台１７に挿入された免疫クロマトグラフィー試験片７は支持体１４の端部が固定台１７の壁をガイドとして導入される構成とすることで、位置決めされる。なお、免疫クロマトグラフィー試験片７を固定台１７より排除する行程において、押さえ３１を解除する機構を備えるようにすることが望ましい。なお、押さえ３１は必ずしも固定台１７と一体でなくても良く、クロマトグラフィー定量測定装置に設置しても良い。この場合、押さえ３１を着脱可能な構成とすることが望ましい。
【０１４６】
なお、図６(ａ)では、溝２８及びガイド２９を用いて免疫クロマトグラフィー試験片７の位置を決定しているが、図６(ｂ)に示すように、支持体１４の挿入側の幅を狭めた段付き構成とすることで、位置を決定しても良い。
【０１４７】
このような実施の形態５によるクロマトグラフィー定量測定装置では、支持体１４を押さえる押さえ３１を備えたことより、ビームを走査する領域を平滑化することができるため、吸光度測定の精度を向上させることができる。このとき、押さえ３１の端部に傾斜を設けることにより、固定台１７への着脱作業を容易に行うことができる。
【０１４８】
（実施の形態６）
以下、実施の形態６によるクロマトグラフィー定量測定装置について、図７を用いて説明する。
なお、免疫クロマトグラフィー試験片７の定量測定については実施の形態１で説明したので、ここでは、その説明を省略する。
【０１４９】
図７は実施の形態６によるクロマトグラフィー定量測定装置の斜視図であり、図において、図１と同一または相当する構成要素については同じ符号を用い、その説明を省略する。
図７において、支持体１４を、作業者が支持体を保持し、固定台から免疫クロマトグラフィー試験片を取り外すようにした。これにより、免疫クロマトグラフィー試験片７の取り外し作業に際して、作業者への試料による汚染を防ぐことができる。このとき、図７に示すように折り曲げ、端部を浮かせるようにして、この折れ曲がった部分を作業者が保持できるようにする。このとき、支持体１４において保持される部分に滑り止め３２を設けるようにする。これにより、免疫クロマトグラフィー試験片７の取り外し作業に際して、作業者が保持しやすく作業性を向上させることができる。なお、滑り止め３２として突起形状を設けているが、支持体１４の表面に溝やローレット加工を施すことにより得られる形状としても良い。ここで、支持体１４を折り曲げる際に、折り曲げにより谷とする部分に予め溝を設けるようにすれば、容易に支持体１４を折り曲げることができ、免疫クロマトグラフィー試験片７の取り外し作業を簡便にすることができる。さらに、支持体１４の保持される部分が固定台１７より突出するようにすれば、作業者が保持しやすく、作業性をより向上させることができる。
【０１５０】
固定台１７に、被検査溶液を受ける溝である受け皿３３を設け、この受け皿３３の開口部を支持体１４よりも大きいものとした。また、受け皿３３にスロープ３４を設けることで、被検査溶液を免疫クロマトグラフィー試験片７の添加部９に上から添加するだけではなく、断面方向から展開層１３に供給可能とした。また、固定台１７表面に撥水加工を施しておけば、免疫クロマトグラフィー試験片７への試料添加中に誤って漏れ出した試料を容易に拭き取ることができる。さらに、固定台の受け皿３３に吸水性物質である吸水材３５を取り付けたことで、試料添加作業中に誤って漏れ出した試料を吸水材３５により吸収し、クロマトグラフィー定量測定装置に試料が付着することを防ぐことができる。なお、吸水材３５は受け皿３３の底面に設置され、取り替え可能とする。
【０１５１】
なお、図８に示したように、固定台１７に、支持体１４と接触する部分に貫通穴３６を設け、除去棒３７を貫通穴３６に挿入するようにすれば、固定台１４から免疫クロマトグラフィー試験片７を簡単に取り除くことができる。なお、除去棒３７を固定台１７と一体とした構成としても良い。
【０１５２】
このような実施の形態６によるクロマトグラフィー定量測定装置では、作業者が測定完了後の免疫クロマトグラフィー試験片７を固定台１７より取り外す際に、被検査溶液が作業者に付着することを防ぐことができる。ここで、固定台１７に撥水処理を施すことにより、誤って固定台１７に付着した被検査溶液を拭き取る作業が容易になる。また、スロープ３４を設けることにより、被検査溶液の添加方法が異なる場合にも固定台１７を変更することなく対応することができる。
【産業上の利用可能性】
【０１５３】
本発明にかかるクロマトグラフィー定量測定装置は、ケーシングを用いることなしに、クロマトグラフィー定量測定装置に免疫クロマトグラフィー試験片を精度良く取り付け可能で、かつ、測定器への試料の付着を防止可能なものとして有用である。
【符号の説明】
【０１５４】
１    光源
２    反射板
３    回折格子
４    開口
５    ガラス板
６，８    光電子倍増管
７    免疫クロマトグラフィー試験片
９    添加部
１０    標識試薬保持部
１１    検知部
１２    ベース部
１３    展開層
１４    支持体
１５，１６    受光素子
１７    固定台
１８    測定台
１９    固定台保持体
２０    穴
２１    突起
２２    ガイド
２３    試験片固定器具
２４    透過窓
２５    爪状突起
２６    取っ手
２７    針
２８    溝
２９    ガイド
３０    突起
３１    押さえ
３２    滑り止め
３３    受け皿
３４    スロープ
３５    吸水材
３６    貫通穴
３７    除去棒
４０    開口
５０    切り欠き
９０    ケーシング
９１    注入口
９２    開口
【図１】
2011191317.tif 000003
【図２】
2011191317.tif 000004
【図３】
2011191317.tif 000005
【図４】
2011191317.tif 000006
【図５】
2011191317.tif 000007
【図６】
2011191317.tif 000008
【図７】
2011191317.tif 000009
【図８】
2011191317.tif 000010
【図９】
2011191317.tif 000011